(57)【要約】【課題】  電池式の火災警報器が、電池切れ間近または既に電池切れであることを警報表示確実に警報するとともに、火災警報器の交換が必要であることを使用者へ確実に通知可能な火災警報器を提供する。【解決手段】  電池容量低下検出部が、電池の容量低下を検出すると、警報用ヒューズに過電流を流し、ヒューズエレメントを溶断する。ヒューズエレメントの溶断によりスプリングが駆動し、外部から視認可能な位置で停止して電池切れ警報表示を行うとともに電池切れ警報表示状態を保持して火災警報器の交換が必要であることを通知する。【選択図】  図１
2008242879.tif 000002
【特許請求の範囲】
【請求項１】
少なくとも電源としての電池と、該電池から供給される電力により駆動される火災検出部と、前記電池の異常を検出する電池異常検出部を備えた火災警報器において、
前記電池の異常を警報表示する電池異常警報表示手段と、該電池異常警報表示手段を待機状態とし、該待機状態を不可逆的に解除して表示状態とする不可逆的係止解除手段を備え、
前記電池異常検出部は、電池の異常を検出したときに前記不可逆的係止解除手段を制御して前記電池異常警報表示手段を表示状態とすることを特徴とする火災警報器。
【請求項２】
請求項１に記載の火災警報器において、
前記電池異常検出部は、電池容量の低下を検出することを特徴とする火災警報器。
【請求項３】
請求項１に記載の火災警報器において、
前記電池異常検出部は、電池の逆接続を検出することを特徴とする火災警報器。
【請求項４】
請求項１乃至３に記載の火災警報器において、
前記電池異常警報表示手段は、電池異常警報表示可能な所定の位置に移動するとともに電池異常警報表示状態を保持して火災警報器の交換が必要であることを表示することを特徴とする火災警報器。
【請求項５】
請求項１乃至４に記載の火災警報器において、
前記電池異常警報表示手段および前記不可逆的係止解除手段は、警報用ヒューズである
ことを特徴とする火災警報器。
【発明の詳細な説明】
【技術分野】
【０００１】
本発明は、電池切れなどの電池異常を警報表示する火災警報器に関する。
【背景技術】
【０００２】
従来、例えば、特許文献１に示されているような火災警報器が知られている。このような火災警報器は、電池容量の低下を監視してブザー等により警報出力して電池交換時期を知らせるものである。
【特許文献１】特開昭５５−７４６９３号
【発明の開示】
【発明が解決しようとする課題】
【０００３】
しかしながら、電池切れ警報の際、これに気付いた住人により電池交換が行われるが、電池のみを新品に交換して火災警報器を継続して使用するためには、電池以外の火災警報器の各部品等が電池交換後の電池耐用期間においても継続して正常に機能することを製造元のメーカーが保証する必要があり、実際には、電池交換時期になると火災警報器ごと交換しているものもある。
【０００４】
一方、住人の長期不在時等に電池切れ警報が発生した場合には、住人に電池切れ警報が伝わらないまま電池が切れてしまい、住人は、火災警報器が機能していない危険な状況下に置かれていることを知らずに居住を再開するという虞がある。
【０００５】
また、火災警報器の操作に不慣れな一般の使用者（住人）が火災警報器を使用するため、使用開始時に電池のコネクターを火災警報器本体のコネクターに接続する際に逆接続して火災警報器を壊してしまう（故障させる）虞がある。
このような場合、使用者が取扱説明書に従えば、火災警報器を天井等に取り付けた後、機能確認を行うが、試験を行っても警報ブザーの鳴動がなされないので、使用者は、火災警報器が異常であることを発見できる。また、この発見により火災警報器を交換することができる。
しかし、使用者が火災警報器が故障した状態のまま、不用意に機能確認を行わずに天井等に火災警報器を取り付けてしまった場合は、上述と同様にして、使用者（住人）は、火災警報器が機能していない危険な状況下に置かれていることを知らずに生活を続ける虞がある。
【０００６】
すなわち、上述したような課題があるため電池式火災警報器においては、電池切れや電池逆接続などの電池異常によって火災警報器が正常に機能しなくなった場合には、住人に火災警報器の機能異常と火災警報器の交換が必要であることを確実に知らせることが重要であるとともに、住人が火災警報器の故障に気付かないまま火災警報器を取り付けることを防止することが極めて重要である。
【０００７】
したがって、本発明は、電池切れや電池逆接続などの電池異常によって火災警報器が正常に機能しなくなったときに、住人に火災警報器の機能異常および火災警報器の交換が必要である旨を確実に知らせるとともに、住人が火災警報器の故障に気付かずに火災警報器を取り付けることを防止し、火災警報器の交換が必要であることを通知することが可能な火災警報器を提供することを目的とする。
【課題を解決するための手段】
【０００８】
上記目的を達成するために、請求項１記載の発明は、少なくとも電源としての電池と、該電池から供給される電力により駆動される火災検出部と、前記電池の異常を検出する電池異常検出部を備えた火災警報器において、前記電池の異常を警報表示する電池異常警報表示手段と、該電池異常警報表示手段を待機状態とし、該待機状態を不可逆的に解除して表示状態とする不可逆的係止解除手段を備え、前記電池異常検出部は、電池の異常を検出したときに前記不可逆的係止解除手段を制御して前記電池異常警報表示手段を表示状態とすることを特徴とする。
【０００９】
また、請求項２記載の発明は、請求項１記載の火災警報器において、前記電池異常検出部は、電池容量の低下を検出することを特徴とする。
【００１０】
また、請求項３記載の発明は、請求項１記載の火災警報器において、前記電池異常検出部は、電池の逆接続を検出することを特徴とする。
【００１１】
また、請求項４記載の発明は、請求項１乃至請求項３記載の火災警報器において、前記電池異常警報表示手段は、電池異常警報表示可能な所定の位置に移動するとともに電池異常警報表示状態を保持して火災警報器の交換が必要であることを表示することを特徴とする。
【００１２】
また、請求項５記載の発明は、請求項１乃至請求項４記載の火災警報器において、前記電池異常警報表示手段および前記不可逆的係止解除手段は、警報用ヒューズであることを特徴とする。
【発明の効果】
【００１３】
本発明によれば、安価かつ簡単な構成により、火災警報器の電池切れや電池逆接続などの電池異常の警報表示状態を保持するので、住人は、電池切れに気付かないまま正常に機能していない火災警報器を設置し続けるといった状況を防止することができる。また、故障した火災警報器を不用意に取り付けることなく火災警報器の機能異常を発見し、火災警報器を交換することができる。
【発明を実施するための最良の形態】
【００１４】
以下、本発明を実施するための最良の形態を図面に基づいて説明する。
（火災警報器の構成）
図１は、本発明の火災警報器の一例であって、煙などの火災要因を検出してブザー音や音声などで警報を行う火災警報器１を示す概略構成図である。
また、図２は、図１の火災警報器１の外観正面図であり、図３は、火災警報器１の要部断面図であり、本発明の電池異常警報表示機能を示す簡略説明図である（後述）。
【００１５】
図１に示されるように火災警報器１は、電池３、火災検出部４、制御部２、警報音響部６、作動表示部５、スイッチ入力部７を備えており、更に、電池異常警報表示手段９（電切れ警報表示手段）、不可逆的係止解除手段１０を備えている。
火災警報器１は、電池３（電源部）によって駆動し、寝室など所定の監視エリアの火災発生を監視している。監視エリアで火災が発生すると、火災警報器１は、火災検出部４において火災要因を所定の物理量に変換する。検出レベルが所定の閾値を越えると火災検出部４は、火災検出信号を制御部２へ送信する。制御部２は、各種制御を行うＣＰＵであり、火災検出信号を受信すると警報音響部６へ警報出力信号を送出し、警報音響部３のブザー（図示せず）により警報鳴動を行わせる。また作動表示部５に点灯制御信号を送出して作動表示灯（図示せず）を点灯表示する。なお、スイッチ入力部７は、ブザー鳴動を停止するための操作部（警報音響停止ボタン）であり、試験スイッチでもある。
【００１６】
次に、電池異常（電池容量低下）について説明する。火災警報器１は、電池容量の低下を監視して、電池切れが近づくとその警報（電池切れ警報）を行う。本発明の電池容量低下監視機能は、電池容量異常検出部８（以下、電池容量低下検出部８という。）であり、本発明の実施形態においては、制御部２が電池容量低下検出部（電池異常検出部８）である。電池容量低下検出部８（制御部２）は、電池３の電圧を所定周期で監視しており、電池電圧が所定の電圧レベル以下（例えば２．５Ｖ）になると電池異常として電池容量低下を検出するよう設定されている。なお、火災警報器１が正常に機能する動作電圧は、一例として３．７ｖ〜２．３Ｖである。
【００１７】
電池３の電圧が２．５Ｖ以下になると、制御部２（電池容量低下検出部８）は、図１の不可逆的係止解除手段１０へ制御信号を出力し、電池異常警報表示手段９により電池切れ警報表示を行う。
【００１８】
具体的には、図１の不可逆的係止解除手段１０および電池異常警報表示手段９は、図３に示される警報用ヒューズ２０であり、警報用ヒューズ２０は、回路基板４０に載置されいる。また、警報用ヒューズ２０には、予め、有色材（例えば赤色蛍光塗料）が塗布されたマーカ２３を有するスプリング２４がヒューズエレメント２２と溶着（ハンダ付け）されて備えられている。
【００１９】
制御部２（電池容量低下検出部８）は、電池３の電圧低下（電池容量低下）を検出すると、警報用ヒューズ２０（電極２１）に過電流を流し、ヒューズエレメント２２を溶断する。ヒューズエレメント２２の溶断によりスプリング２４が駆動し、マーカ窓３０の位置まで回転する。マーカ２３は、火災警報器１の外部から視認可能な位置で停止する。なお、マーカ２３がマーカ窓３０の位置で警報表示状態を保持するためには、スプリング２４の回転軸部と回路基板との係止機構を利用して保持しても良いし、または、マーカ窓３０を凹部構造とし、ヒューズエレメント２２の溶断およびスプリング２４の回転力によりマーカ２３がその凹部と嵌合する保持機構としても良い。
【００２０】
また、電池切れ警報表示手段（電池異常警報表示手段９）として、スプリング２４およびマーカ２３を用いずに、ヒューズエレメント２２に有色塗料を混合して、マーカ窓３０近傍に設け、ヒューズ溶断の際にその衝撃により有色塗料をマーカ窓３０に飛散させて電池切れ警報表示および警報表示状態の保持を行うようにしても良い。
なお、警報用ヒューズ２０は、低電流で溶断可能であって、かつ、ヒューズエレメント２２が衝撃等で切断されないものを使用することが好ましいことは言うまでもない。
【００２１】
以上のように警報用ヒューズ２０により電池切れ警報表示を行うことで、火災警報器１を安価かつ簡単な構成とすることができる。また、電池切れ警報がマーカにより不可逆的に保持されて警報表示されるので、住人は、長期不在の後に居住を再開したときも火災警報器１のマーカ窓３０の表示状態を確認すれば、容易に電池切れにより火災警報器１が機能していないこと、または、電池切れが近づいたことに気付くことができる。また不可逆的に電池切れ警報表示を保持することにより、火災警報器の電池切れ警報機能が使用できなくるので、電池交換のみを行って火災警報器を再利用するのではなく火災警報器自体の交換が必要であることを使用者に通知（表示）することができる。
【００２２】
（その他の実施形態）
次に、図４は、本発明の火災警報器１の電池異常検出部８を電池逆接続検出部８０として用いた実施例であり、図１と同じ機能および構成部については、図１と同じ番号を付与している。
本実施形態の場合、電池逆接続検出部８０は、例えば、電池３と並列接続された逆流防止用のダイオードを備えており、警報ヒューズ２０は、電極２１が回路基板４０上の電池３を接続するコネクターの−電極側および制御部２の間に直列接続されるように設けられている（図示せず）。
【００２３】
電池３を火災警報器１の図示しない収納部へコネクター（図示せず）接続により取り付ける際に、コネクターの接続ピンおよびピン受け部を逆に接続すると電極２１間にも過電流が流れ、ヒューズエレメント２２を溶断し、スプリング２４が回動し、マーカ窓３０の位置までマーカ２３が移動して停止する。
電池３のコネクターと回路基板４０のコネクターを逆接続すると、火災警報器１のその他の回路部も故障するが、電池３を逆接続した際に、マーカ２３により不可逆的に警報表示が保持されるので、使用者は、直ちに火災警報器１の故障に気づき、火災警報器自体の交換を使用者に通知することができる。すなわち、使用者は、火災警報器１の故障に気付かないまま設置する事態を回避することができる。
【００２４】
なお、本発明を逸脱しない範囲で適宜応用可能である。例えば、電切れ警報を２段階にして、警報音響部６の警報ブザーによる電池切れ警報の後、警報ヒューズ２０によって不可逆的に電池切れ警報表示を行っても良い。
また、火災警報器１に電池容量低下検出部８と電池逆接続検出部８の両方を設けて、どちらかの電池異常が発生したときに警報用ヒューズ２０によって不可逆的に電池異常警報表示および警報表示状態の保持を行っても良い。
【産業上の利用可能性】
【００２５】
本発明は、火災警報器のほかにも電池式ガス警報器や電池式防犯警報器等にも利用可能である。
【図面の簡単な説明】
【００２６】
【図１】本発明に係る火災警報器の簡略回路構成を示す図である。
【図２】本発明に係る火災警報器の外観正面図である。
【図３】本発明に係る火災警報器の要部断面図である。
【図４】その他の実施形態を示す火災警報器の簡略回路構成を示す図である。
【符号の説明】
【００２７】
１    火災警報器
２    制御部（制御回路部）
３    電池（電源部）
４    火災検出部
５    作動表示部
６    警報音響部
７    スイッチ入力部
８    電池異常検出部（電池容量低下検出部）
９    電池異常警報表示手段（警報用ヒューズ）
１０  不可逆的係止解除手段（警報用ヒューズ）
２０  警報用ヒューズ
２１  電極
２２  ヒューズエレメント
２３  マーカ（赤色蛍光塗料）
３０  マーカ窓（透明部材または孔）
４０  回路基板
８０  電池逆接続検出部（電池異常検出部）
【図１】
2008242879.tif 000003
【図２】
2008242879.tif 000004
【図３】
2008242879.tif 000005
【図４】
2008242879.tif 000006